(57)【要約】  【課題】  塑性変形しにくく弾性変形しやすい仕切り部を有する包装用容器を提供すること。  【解決手段】  食品を収納する容器本体Ｐの底部１に設けられ、この底部の周縁から立ち上がった外周縁部２に直結する仕切り部３と、この仕切り部の一方に沿って、この底部上に形成された段差部３１とを備えている。仕切り部３は、外周縁部２に対して斜めに形成されている。段差部３１に沿って、底部１上にテラス部４が備えてある。テラス部４にはリブ部４１が形成されている。  【選択図】図１
0003215661.tif 000002
【実用新案登録請求の範囲】
【請求項１】
食品を収納する容器本体の底部に設けられ、当該底部の周縁から立ち上がった外周縁部に直結する仕切り部と、
前記仕切り部の一方に沿って、前記底部上に形成された段差部とを備えた
ことを特徴とする包装用容器。
【請求項２】
前記仕切り部が前記外周縁部に対して斜め方向に形成されている
ことを特徴とする請求項１に記載の包装用容器。
【請求項３】
前記段差部に沿って、前記底部上にテラス部が備えてある
ことを特徴とする請求項１または２に記載の包装用容器。
【請求項４】
前記テラス部にはリブ部が形成されている
ことを特徴とする請求項３に記載の包装用容器。 
【考案の詳細な説明】
【技術分野】
【０００１】
本考案は、例えばスーパーやコンビニエンスストアで販売される食品の包装用容器に関し、さらに詳しくは、使用に対して容器本体が変形しにくい包装用容器に関するものである。
【背景技術】
【０００２】
従来から、例えばスーパーやコンビニエンスストアで販売される弁当では、盛り付け用の食品の種類を増やしたり見栄えをよくしたりするため、矩形状の容器本体の底部に仕切り部が設けられていた。これにより、同じ包装用容器にもかかわらず、販売する弁当のラインナップを増やすことができた。
【０００３】
一方、容器本体の仕切り部は、底部と一体的に成型されていた。すなわち、仕切り部は底部から上方に隆起したもので、容器本体は上記仕切り部の両側にそれぞれ食品の収納スペースを有するものだった。このため、弁当を販売する従業員や弁当を購入する需要者が容器本体の裏側から仕切り部付近に片手を引っ掛けて包装用容器を持ち上げると、食品の自重に耐え切れずに上記仕切り部付近から容器本体が折れ曲がり、盛り付けた食品が飛び出してしまうことが懸念される。
【０００４】
そこで、仕切り部を有する容器本体と合体する蓋体が、上記容器本体の仕切り部に嵌合する仕切り部を有すると共に、上記蓋体の仕切り部の両側に、上記仕切り部より低い段差が設けられた発想が提案されている（例えば、特許文献１参照。）。これにより、上記段差が上記蓋体及び上記蓋体の仕切り部の剛性を高めると共に、上記段差や上記蓋体の仕切り部に破れや亀裂が発生しない構造を実現させていた。
【先行技術文献】
【特許文献】
【０００５】
【特許文献１】特開２０１３−４９４３９号公報
【考案の概要】
【考案が解決しようとする課題】
【０００６】
しかしながら、上述した発想では、容器本体の仕切り部の剛性を高めたことにはならず、蓋体がない状態で持ち上げれば、上述したとおり上記仕切り部付近から折れ曲がってしまうことが懸念される。
【０００７】
さらに、容器本体の仕切り部の剛性を高めたとしても、新たな問題が発生する。すなわち、容器本体の裏側から仕切り部付近に片手を引っ掛けて包装用容器を持ち上げると、上記仕切り部付近に応力が集中するため、この部分が変形する恐れがある。すなわち、上記仕切り部が上記容器本体内に盛り付けされた食品の自重に耐える剛性を有する分、外力を受けて変形すると、塑性変形してしまう。さらに、変形した部分に外力が加わった途端、急激に弾性変形して元の形状に戻り、この勢いで食品や上記容器本体内の汁が飛び散る恐れがある。
【０００８】
この問題を解決するために、考案者等は創意工夫の末、容器本体の仕切り部付近に外力が加わりこの部分が変形したとしても、塑性変形しにくい構造にたどり着いた。すなわち、外力を受けた部分に応力が集中せず、この部分が塑性変形しにくい上、弾性変形により元の形状に戻りやすい構造である。
【０００９】
さらに、容器本体が仕切り部付近から折れ曲がらないようにするには、仕切り部ばかりでなく、底部の剛性を高める必要がある。底部の剛性が高ければ、たとえ仕切り部付近に手を引っ掛けて持ち上げても、上述した容器本体の構造と相乗効果を発揮してより折れ曲がりにくくなる。
【００１０】
そこで、本考案の第１の目的は、塑性変形しにくく弾性変形しやすい仕切り部を有する包装用容器を提供することにある。また、第２の目的は、底部の剛性が高く容器本体が形状変形しにくい包装用容器を提供することにある。
【課題を解決するための手段】
【００１１】
上記課題を解決するために、本考案による包装用容器は、食品を収納する容器本体の底部に設けられ、上記底部の周縁から立ち上がった外周縁部に直結する仕切り部と、上記仕切り部の一方に沿って、上記底部上に形成された段差部とを備えたことを特徴とする。
【００１２】
また、仕切り部が上記外周縁部に対して斜め方向に形成されていることが望ましい。
【００１３】
また、上記段差部に沿って、上記底部上にテラス部が備えてあることが望ましい。
【００１４】
また、上記テラス部にはリブ部が形成されていることが望ましい。
【考案の効果】
【００１５】
本考案による包装用容器は、仕切り部の一方に沿って底部上に段差部が設けられていることにより、上記底部の裏側から上記仕切り部に向かって応力がかかっても、上記段差部に上記応力が分散するため、上記仕切り部が塑性変形しにくい。すなわち、仕切り部に段差部がない容器本体と比べて、上記仕切り部の一部に応力が集中しにくいため、塑性変形を予防することができる。したがって、塑性変形後に上記仕切り部の急激な弾性変形による復元も生じず、上記底部に盛り付けられた食品が飛び跳ねたり汁が飛び散ったりするのを予防することができる。なお、段差部の幅分だけ上記底部の面積が減少するため、見た目で需要者に不快感を与えることなく食品の収納スペースを調整することもができる。
【００１６】
また、上記仕切り部が上記外周縁部に対して斜め方向に形成されていることにより、盛り付ける食品の種類や容器本体に対する食品の収納スペースをアレンジすることができる。
【００１７】
また、上記段差部に沿って上記底部上にテラス部が備えてあることにより、上記底部の剛性が高まって上記容器本体が変形しにくくなる上、上記テラス部が上記段差部の塑性変形を抑制する。なお、上記テラス部には特定の食品を盛り付けることができる。
【００１８】
また、上記テラス部にリブ部が形成されていることにより、上記テラス部の剛性がさらに高まって上記容器本体が変形しにくくなる上、上記テラス部が上記仕切り部の塑性変形をさらに抑制する。なお、上記リブ部が上記テラス部に盛り付けた食品の滑り防止となる。
【図面の簡単な説明】
【００１９】
【図１】包装用容器の上方斜視図である。
【図２】包装用容器の部分拡大端面図である。
【図３】包装用容器の使用状態を示す図である。
【図４】包装用容器の使用に伴う変化の前後を説明する部分拡大断面図である。
【図５】従来の包装用容器の使用に伴う変化の前後を説明する部分拡大断面図である。
【考案を実施するための形態】
【００２０】
以下、図１〜図５を参照しつつ、本考案の一実施形態における包装用容器の構造及び使用状態を説明する。
【００２１】
図１に示すように、本考案の一実施形態における包装用容器は、食品を収納する容器本体Ｐの底部１に設けられ、この底部の周縁から立ち上がった外周縁部２に直結する仕切り部３と、この仕切り部の一方に沿って、この底部上に形成された段差部３１とを備えている。
【００２２】
また、仕切り部３が外周縁部２に対して斜め方向に形成されている。
【００２３】
また、段差部３１に沿って、底部１上にテラス部４が備えてある。
【００２４】
また、テラス部４にはリブ部４１が形成されている。
【００２５】
次に、図１〜図２を参照しつつ、本考案の一実施形態における包装用容器を構成する各部の構造を詳細に説明する。なお、図２は、図１のＭ−Ｍ部分における拡大端面図である。
【００２６】
図１に示すとおり、矩形状の包装用容器の容器本体Ｐは、食品が盛り付けられる底部１と、この底部の周縁から立ち上がった外周縁部２とを備えている。底部１の表側には、例えば長手方向の外周縁部２の内側に直結して、食品の種類を分別する直線状の仕切り部３が設けられている。ここで、図２に示すとおり、仕切り部３は、底部１と一体的に成型されており、この底部の一部が隆起したものである。仕切り部３の長手方向の側方（図では右側）には、この仕切り部１及び底部１と一体的に段差部３１が設けられている。段差部１は、仕切り部３の上端より低く底部１より高い位置に、略水平な平面部（付番しない）を有する。
なお、底部１の形状は、例えば正方形状や円形状や楕円形状でもよく、平坦状に限らず、凹凸形状でも湾曲した面でもよい。外周縁部２は、底面部１の周縁から所定の高さ立ち上がった壁部（付番しない）や外方に向かって略水平に突出する突状部（付番しない）から形成されてもよい。外周縁部２の形状は、例えば正方形状や円形状や楕円形状でもよい。外周縁部２の突状部は、例えば平面状の把持部を有するフランジ形状でもよい。仕切り部３の端面形状は、三角形状に限らず矩形状でもよい。仕切り部３及び段差部３１は、外周縁部２と一体的に成型されても個別に形成されてもよい。段差部３１の平面部の高さや角度に限定はない。段差部３１は、仕切り部３の長手方向の両側に設けられていてもよい。段差部３１は、仕切り部３の全体に形成されることが好ましいが、仕切り部３に沿って部分的に形成されていてもよい。
【００２７】
仕切り部３は、外周縁部２に対して斜めに形成されている。そして、容器本体Ｐにねじれ方向の力が加わると、外周縁部２と仕切り部３との連結部分を支点に変形する。
なお、仕切り部３の角度は、外周縁部２に対して４０〜８５°傾いており、４５〜８０°傾いていると好ましく、５０〜７５°傾いているとより好ましい。仕切り部３は、外周縁部２に対して垂直（９０°）に設けられてもよい。
【００２８】
テラス部４は、段差部３１に沿って底部１上に備えてある。テラス部４は、底部１及び段差部３と一体的に成型されている。ここで、テラス部４は底部１よりも高い面を形成すればよい。また、テラス部４は段差部３１の少なくとも一部に沿って形成されてもよく、段差部３１の５０〜８０％に沿って形成されてもよい。
なお、テラス部４の形状は、例えば正方形状や円形状や楕円形状でもよい。テラス部４の上端は、段差部３１の平面部より低い位置でも高い位置でもよく、平坦状でも曲面状でもよい。
【００２９】
テラス部４の上端には、波状のリブ部４１が一体的に成型されている。
なお、リブ部４１の形状、例えば端面が三角形状や矩形状や円弧形状でもよく、場所に応じて端面の形状が異なってよい。リブ部４１の数に限定はない。
【００３０】
次に、図３〜図５を参照しつつ、食品（二点鎖線）が盛り付けられた包装用容器に外力が加わった場合の形状変化を説明する。また、図４は図３のＮ−Ｎ部分の変化を示す拡大断面図、図５は段差部を有しない仕切り部の変化を示す拡大端面図である。
【００３１】
図３に示すとおり、容器本体Ｐの底部１上には、仕切り部３を境に、食品が数種類盛り付けられている。このとき、例えば底部１の裏側に片手を引っ掛けて持ち上げると、食品の自重で、外周縁部２と仕切り部３とが連結した部分を支点とし、容器本体Ｐにねじれ方向（円弧矢印）の力が加わる。そして、図４（Ａ）に示すとおり、底部１と段差部３１とが連結した部分付近に、引っ掛けた手が力点となって応力Ｐａが加わる。しかしながら、応力Ｐａは仕切り部３と段差部３１とが連結する部分やこの段差部自体の角部に分散し、それぞれに対して応力Ｐｂが加わる。すると、図４（Ｂ）に示すとおり、それぞれ応力の伝わった部分が変形する。このため、底部１と段差部３１とが連結した部分付近に、継続して応力Ｐａが集中するのを回避できる。また、段差部３１により、この段差部周辺の復元力が高まり、塑性変形しないようにすることができる。
【００３２】
一方、図５（Ａ）に示すとおり、段差３がない場合、底部１と仕切り部３とが連結した部分付近に、引っ掛けた手が力点となって応力Ｐａが加わる。そして、応力Ｐａは分散する箇所がないため、この部分に継続して応力が集中する。その結果、図５（Ｂ）に示すとおり、仕切り部３が塑性変形してしまう。このとき、外力を加えない限り、仕切り部３は復元することができない。さらに、外力を加えた途端、仕切り部３が弾性変形し、急激に復元する。
【００３３】
このように、本実施形態における包装用容器は、仕切り部３の一方に沿って底部１上に段差部３１が設けられていることにより、この底部の裏側からこの仕切り部に向かって応力Ｐａが加わっても、この段差部に応力Ｐｂが分散するため、この仕切り部が塑性変形しにくい。すなわち、仕切り部３に段差部３１がない容器本体と比べて、この仕切り部の一部に応力Ｐａが集中しにくいため、塑性変形を予防することができる。したがって、塑性変形後に仕切り部３の急激な弾性変形による復元も生じず、底部１に盛り付けられた食品が飛び跳ねたり汁が飛び散ったりするのを予防することができる。また、段差部３１の幅分だけ底部１の面積が減少するため、見た目で需要者に不快感を与えることなく食品の収納スペースを調整することができる。
【００３４】
また、仕切り部３が外周縁部２に対して斜め方向に形成されていることにより、盛り付ける食品の種類や容器本体に対する食品の収納スペースをアレンジすることができる。
【００３５】
また、段差部３１に沿って底部１上にテラス部４が備えてあることにより、この底部の剛性が高まって容器本体１が変形しにくくなる上、このテラス部がこの段差部の塑性変形を抑制する。なお、テラス部４には特定の食品を盛り付けることができる。
【００３６】
また、テラス部４にリブ部４１が形成されていることにより、このテラス部の剛性がさらに高まって容器本体Ｐが変形しにくくなる上、このテラス部が仕切り部３の塑性変形をさらに抑制する。なお、リブ部４１がテラス部４に盛り付けた食品の滑り防止となる。
【００３７】
なお、本実施形態における包装用容器は、例えば真空成形、圧空成形、真空圧空成形、両面真空成形、熱板成形等のシート成形で、合成樹脂シートを熱成形することにより形成される。合成樹脂シートとしては、例えばポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば発泡樹脂を使用すれば、軽量かつ断熱性があり好ましい。さらに、シートの表面または裏面を合成樹脂フィルムで覆ってもよく、表面を覆った場合は印刷を施してもよい。
【産業上の利用可能性】
【００３８】
本考案における包装用容器は、例えば弁当、惣菜、生鮮品、肉類、野菜類を含む食品全般の外販に関する産業に利用可能である。
【符号の説明】
【００３９】
１        底部
２        外周縁部
３        仕切り部
３１      段差部
４        テラス部
４１      リブ部
Ｐ        容器本体
【図１】
0003215661.tif 000003
【図２】
0003215661.tif 000004
【図３】
0003215661.tif 000005
【図４】
0003215661.tif 000006
【図５】
0003215661.tif 000007